(57)【要約】【課題】化粧筆及び洗顔筆等は腰部分をのりで固め更に口金で毛部分と軸とを硬く締め付け装着されており、この部分が乾燥しづらい為、人体に悪影響を及ぼすカビが発生したり黄色ブドウ球菌などを初めとする雑菌が繁殖することが判明しており、放置すると危険である。使用後や洗浄後に速やかな乾燥と殺菌が可能な構造になっていることが必要である。本発明は以上の諸問題を解決する。【解決手段】筆の口金部と軸胴部の嵌合箇所、又は軸胴部が中空の場合は軸胴部から軸後端部に至る箇所のどこかを脱着が容易な構造とし、使用後や洗浄後に分離が可能とするか又は口金部か軸胴部に穴を複数個開けて通気しやすくすることにより雑菌の繁殖が減少出来る。更に既に提案済みの「化粧筆の洗浄及び乾燥殺菌と保管の為の器具」により毛先を下にして吊り下げて送風とＵＶ照射を行なうことで乾燥時間の短縮と殺菌の大幅な効果が得られることを特徴とする。【選択図】図７
2016097285.tif 000002
【特許請求の範囲】
【請求項１】
本発明は、従来口金部及び軸胴部が殆ど封印状態となっており、口金部の内側や軸胴部の内側部分が乾燥しづらい点を解消することとその部分にＵＶ照射を当てやすい構造にすることが目的であり、方法として化粧筆及び洗顔筆の口金部と軸胴部の嵌合箇所、又は軸胴部の内部が中空の場合は軸後端部を含めた箇所から口金部に至る箇所のどこかを捻じ込み方式やキャップ方式等々脱着が容易な嵌合方法とし、使用後或いは洗浄後にその嵌合箇所を外して口金部及び軸胴部の中空部分に外気が入りやすくするものであり、また別の方法として嵌合方式による脱着ではなく、軸部後端や軸胴部そのものに適度な穴を複数個開けることで脱着作業を必要とせず、絶えず口金部と軸胴部の内側に外気を流通させることが出来るので同等の効果が得られ、これらの構造を備えた筆を既に提案済みの「化粧筆の洗浄及び乾燥殺菌と保管の為の器具」に吊り下げて、送風とＵＶ照射を行なうことで乾燥時間の短縮と殺菌の大幅な効果が得ることができ、また更に軸後端部に小型で低消費電力の送風機やＵＶ照射器を仕込めば一層乾燥や殺菌の効果を上げることが出来ることを特徴とする化粧筆及び洗顔筆の構造。
【発明の詳細な説明】
【技術分野】
【０００１】  本発明は、化粧筆及び洗顔筆等人体に対して使用する筆に発生するカビや黄色ブドウ球菌など人体に悪影響を及ぼす雑菌の発生を抑えることを目的とした化粧筆及び洗顔筆の構造に関するものである。
【背景技術】
【０００２】  先行技術として、筆穂の口金に近い腰部分を防腐剤・殺菌剤を使用して固める方法があり、防腐剤や殺菌剤の機能を利用して雑菌の発生を抑えようというものである（文献１）。
また化粧筆ではないが絵筆の軸に環状のへこみを作り、水平に設置した切込みを持たせた金属板に横から差し込んで吊り下げ、洗浄液が口金や軸の内側に入り込むのを防ぐ目的のものがある（文献２）。
さらに同様の目的で軸の後端部に吊り下げ用のひもを付けた形のものが販売されている。但し吊り下げるための器具は提案されていない。
上述のものも含めすべてのこの種の筆は筆穂の腰部分を糊や接着剤で固めてその一部を口金でしっかりと固定し、さらに口金が軸に固定されるという構造になっている。
【先行技術文献】
【特許文献】
【０００３】
【特許文献１】特許公開平８−１０８６７５号公報
【特許文献２】特許公開平５−２０７９１２号公報
【発明の概要】
【発明が解決しようとする課題】
【０００４】  これまで化粧筆及び洗顔筆等については機能やデザイン、毛質の向上など筆としての品質向上に技術が注力されてきており、世界的にもその優秀さは認められている。しかし筆の使用後や洗浄後に付着或いは発生する人体に悪影響を及ぼす恐れのある雑菌への対策については深く追及されていないのが現状である。筆は化粧品等を付着させて人肌に接した後、或いは何度かの使用後に洗浄された後、大概は空容器に穂先側を上に向けて放置するか中途半端な乾燥のままポーチに入れて簀巻きにして持ち歩く。
しかし洗った後に穂先を上に向けて空のコップに入れて放置すると腰部から口金の中に至る部分に入り込んだ水分が乾燥しづらく、カビが生じたり液体が腐って人体に有害な黄色ブドウ球菌などを初めとする雑菌が繁殖することが判明している。もちろん毛先が広がったり、口金や軸を腐食させたりするので筆自体の耐久性や機能にも悪影響を与える。
ポーチのポケットに差し込んで簀巻きにして持ち歩く場合は、毛先や腰の部分が変形するほか、やはり腰の糊部分と口金付近の水分が乾きづらくなるので及ぼす悪影響は前述と同様である。
この状況に対処する為、穂先を下に向けて吊り下げ、送風し、ＵＶ照射する構造の器具「化粧筆の洗浄及び乾燥殺菌と保管の為の器具」を以前に特許申請したが、この器具を使用したとしても筆は腰部分をのりで固め、更に口金で毛部分と軸とを一体化して硬く締め付け装着されているので、確実に乾燥と殺菌を行なうには比較的長目の時間を要する。
個人用途と業務用途を問わず、これらの筆を利用する人たちにとってより速やかな乾燥と殺菌を行ない、雑菌の心配をすることなく使用できるように出来ることが望ましいが、先行技術ではいずれも解決できない。
本発明は以上の諸問題を解決するものである。
【課題を解決するための手段】
【０００５】  本発明は、従来口金部及び軸胴部が殆ど封印状態となっており口金部の内側や軸胴部の内側部分が乾燥しづらい点を解消することと、その部分にＵＶ照射を当てやすい構造にすることが目的であり、方法として化粧筆及び洗顔筆の口金部や口金部と軸胴部の嵌合箇所、又は軸胴部の内部が中空の場合は軸後端部を含めた箇所から口金部に至る箇所のどこかを捻じ込み方式やキャップ方式等々脱着が容易な嵌合方法とし、使用後或いは洗浄後にその嵌合箇所を外して口金部及び軸胴部の中空部分に外気が入りやすくするものである。
また別の方法として嵌合方式による脱着ではなく、軸後端部や軸胴部そのもの又は口金部に適度な穴を複数個開けることで脱着作業を必要とせず、絶えず口金部と軸胴部の内側に外気を流通させることが出来るので同等の効果が得られる。
これらの構造を備えた筆を既に提案済みの「化粧筆の洗浄及び乾燥殺菌と保管の為の器具」に吊り下げて、送風とＵＶ照射を行なうことで乾燥時間の短縮と殺菌の大幅な効果が得られる。
また更に軸後端部に小型で低消費電力の送風機やＵＶ照射器を仕込めば一層乾燥や殺菌の効果を上げることが出来る。
以上を特徴とする化粧筆及び洗顔筆の構造である。
【発明の効果】
【０００６】  この発明により、毛先の腰の部分から口金部から軸胴部に至る内側部分に貯まった液体が腐って人体に有害なカビや雑菌が繁殖し、筆自体にとっても毛が傷んだり口金や軸を腐食させたりする悪影響を確実に避けることが可能となる。
筆は化粧品等を付着させて人肌に接した後、或いは何度かの使用後に洗浄された後、毛先側だけでなく口金の内側や軸の内側を外気に触れさせることで、この部分の乾燥を促進することが出来る。
またすでに提案した「化粧筆の洗浄及び乾燥殺菌と保管の為の器具」と組み合わせることで乾燥時間の大幅短縮と殺菌に対してさらに大きな効果が達成できる。
また嵌合方式を取る場合は、口金部と毛先を一体として、１本の軸に対し付け替えて使用できるようにすることもできる為、同じ種類の筆先を複数所有すれば使用頻度や乾燥度合に応じて付け替えたり、種類の異なる筆先に付け替えて使用することもできる。筆の生産者の立場ではこのようにすれば副次効果としてユーザーの囲い込み効果も生まれてくる筈である。
【図面の簡単な説明】
【０００７】
【図１】一般的な化粧筆・洗顔筆の外観を示すイメージ図
【図２】本発明の嵌合箇所を口金と軸との境目付近とした場合の実施位置の例を示すイメージ図
【図３】本発明の嵌合箇所を口金と軸後端の間の軸部分とした場合の実施位置の例を示すイメージ図
【図４】本発明の嵌合箇所を軸の後端部分とした場合の実施位置の例を示すイメージ図
【図５】本発明の空気穴を軸後端部とした場合の実施位置の例を示すイメージ図
【図６】本発明の空気穴を軸の周壁面に開けるとした場合の実施例を示すイメージ図
【図７】本発明の空気穴を軸の周壁面に開け、軸後端部付近に送風器やＵＶ照射器などを取付けた場合の実施位置の例を示すイメージ図
【発明を実施するための形態】
【０００８】  本発明は、従来口金部（３）及び軸胴部（４）が殆ど封印状態となっており口金部（３）の内側や軸胴部（４）の内側部分が乾燥しづらい点を解消することとその部分にＵＶ照射を当てやすい構造にすることが目的であり、方法として化粧筆及び洗顔筆の口金部（３）や口金部と軸胴部（４）の嵌合箇所、又は軸胴部の内部が中空の場合は軸後端部（５）を含めた箇所から口金部（３）に至る箇所のどこかを捻じ込み方式やキャップ方式等々脱着が容易な嵌合方法とし、使用後或いは洗浄後にその嵌合箇所を外して口金部及び軸胴部（４）の中空部分に外気が入りやすくするものである。
また別の方法として嵌合方式による脱着ではなく、軸後端部（５）や軸胴部（４）そのもの又は口金部（３）に適度な穴を複数個開けることで脱着作業を必要とせず、絶えず口金部と軸胴部（４）の内側に外気を流通させることが出来るので同等の効果が得られる。
これらの構造を備えた筆を既に提案済みの「化粧筆の洗浄及び乾燥殺菌と保管の為の器具」に吊り下げて、送風とＵＶ照射を行なうことで乾燥時間の短縮と殺菌の大幅な効果が得られる。
また更に軸後端部（５）に小型で低消費電力の送風機やＵＶ照射器を仕込めば一層乾燥や殺菌の効果を上げることが出来る。
以上のような筆の構造であり、以下これを実際に使用する場合の形態を説明する。
（イ）口金部（３）と軸胴部（４）の接続箇所近辺を嵌合場所（図２参照）として脱着可能な構造とし、乾燥・殺菌させる際にここを分離する。
（ロ）軸胴部の一部を嵌合場所（図３参照）として脱着可能な構造とし、乾燥・殺菌させる際にここを分離する。
（ハ）軸後端部（５）を嵌合場所（図４参照）として脱着可能な構造とし、乾燥・殺菌させる際にここを分離する。
（ニ）軸後端部を常時穴が開いた状態にして軸内部に通気させる（図５参照）。
（ホ）軸胴部（４）の周壁面に複数の穴を開けた状態にして軸内部を通気させる（図６参照）。
（ヘ）軸胴部周壁面に複数の穴を開けることで軸内部に通気させると同時に軸後端部（５）に低消費電力タイプの送風器或いはＵＶ照射器を取付けることで乾燥や殺菌を促す（図７参照）。
【符号の説明】
【０００９】  １  穂先
２  腰部
３  口金部
４  軸胴部
５  軸後端部
６  嵌合部１
７  嵌合部２
８  嵌合部３
９  軸後端部開放穴
１０  口金部及び軸胴部開放穴
１１  送風又はＵＶ照射器取付部
【図１】
2016097285.tif 000003
【図２】
2016097285.tif 000004
【図３】
2016097285.tif 000005
【図４】
2016097285.tif 000006
【図５】
2016097285.tif 000007
【図６】
2016097285.tif 000008
【図７】
2016097285.tif 000009